(57)【要約】【目的】パッティング時にスイングに横振れが生じたか否かが直ぐに判定できてスイング矯正が可能なゴルフパターを提供する。【構成】打撃面３に平行な縦寸法Ｙよりも打撃面３に直角な横寸法Ｘが長いヘッド２０を有するとともにヘッド上面２０ａのパッティング方向Ｄに垂直下視が直線状の長さＬが５０ｍｍ〜１７０ｍｍの直線識別パターン２５が設けられており、ヘッド２０をボールに対して直線識別パターン２５の先の打撃面３の中心打撃点Ｃに合わせて当て、正しいパッティング方向Ｄで真っすぐに振った場合には、真上から見下ろして前記直線識別パターン２５がその幅寸法と同等の一筋の直線の残像として見え、横振れがある場合には直線識別パターン２５の残像が実際の幅よりも太いラインとして見えるので、打撃面３に直角で直線的な正しいパッティングのスイングに容易に矯正することができる。【選択図】　図１
2004024722.tif 000002
【特許請求の範囲】
【請求項１】
打撃面に平行な縦寸法よりも打撃面に直角な横寸法が長いヘッドを有するとともにヘッド上面のパッティング方向に垂直下視が直線状の５０ｍｍ〜１７０ｍｍの長さの直線識別パターンが設けられていることを特徴とするゴルフパター。
【請求項２】
高さ寸法が２０ｍｍ〜４０ｍｍで水平寸法が４３ｍｍ〜８５ｍｍの略楕円形又は略矩形の打撃面を備え、横寸法が７０ｍｍ〜１７０ｍｍでありヘッド上面に設けられた直線識別パターンの延長線が前記打撃面の中心打撃点の垂直延長線上にあるヘッドを有することを特徴とする請求項１に記載のゴルフパター。
【請求項３】
ヘッドの底面側が半径７００ｍｍ〜１３００ｍｍの曲率の湾曲面を有することを特徴とする請求項１に記載のゴルフパター。
【請求項４】
直線識別パターンが、ヘッドの上面を中心軸を境に領域を色分けしてなる境界線又は幅０．７ｍｍ〜２０ｍｍの目印色ライン又は幅１ｍｍ〜２０ｍｍの溝若しくは突条又は文字文様列であることを特徴とする請求項１に記載のゴルフパター。
【発明の詳細な説明】
【０００１】
【発明の属する技術分野】
本発明はゴルフクラブの一つであるゴルフパターに関し、特にそのヘッドの構造に関する。
【０００２】
【従来の技術】
一般に、グリーン上で主に使用される短い距離を打つゴルフパターのヘッドは、例えば図７の斜視図に示されるように、シャフト２の先に取り付けられた合成材料又は合金を鋳造成形してバラストを詰める等して製造されたヘッド１を有し、そのヘッド形状はボール４に対してパッティング方向Ｄ（＝スイング方向）の横寸法Ｘが打撃面３に平行（＝パッティング方向Ｄに直角）な方向の縦寸法Ｙよりも短い形状である。
【０００３】
パッティングに際しては、ボール４に対して前記ヘッド１の打撃面３がパッティング方向Ｄに直角に当たるようにして真っすぐに打つのが正しいパッティングの基本であるが、得てしてパターのヘッド１をボール４に向かって真っすぐに振れずに、楕円軌道を描き、横振れして直角に当てることができない場合が多く、ゴルフパターのスイング練習はゴルフ上達に欠かせないメニューといえる。
【０００４】
しかしながら、初心者は勿論のことベテランでも、ゴルフパターのスイング矯正は一人では判断が難しく感覚で闇雲に練習しているのが現状である。
【０００５】
然るに、練習時は元よりコースに出てのラウンド時の場合でも、パッティング時のスイングが正しく行えているか否かが自身で直ぐに判るゴルフパターがあればスイング矯正の効果は格段に上がるであろう。
【０００６】
この点、従来よりパッティング（スイング）練習のための器具や特殊な工夫が為されたゴルフパターが数多く考案されている。例えばボールの方向に正確に合わせられるように反射鏡をヘッド上部や打撃面の左右に斜めに取り付けたり、発光ダイオード、レーザポインタ等の発光体をヘッドに取り付けるとともに電源をグリップ部分に内蔵させてパッティングの方向が判るようにした練習用パターが考案されている。これらはコースに出ての本番には使用不可であり、また、単なる方向合わせを示すものであるから横振れが生じたか否かの判断はできない。
【０００７】
また、ゴルフパターのヘッドに関する発明品として、特許第２７８１０５７号の公報には図８の平面図及び図９の斜視図に示されるようなボールの心合わせ用目印を備えたパターヘッド１′が開示されている。
【０００８】
上記公報によれば、パターヘッド１′は垂直の打撃面３と上部面５とを有して、両面の交差部でほぼ真っすぐな稜９を形成し、上部面５は打撃面３に垂直な照準軸Δに対して対称な図柄を上部面上に形成するボールの心合わせ用目印としての曲線状目印６を担持する構成であって、前記曲線状目印６は平面で見た場合、稜９又は稜に近接する平行線８に対し切線位置にあり、接点７において打撃するボール４の公称半径Ｒ２（２１．３５ｍｍ）にほぼ等しく、かつ接点７における湾曲の中心１０に対して１８０度以下の中心角α（好ましくは約９０度）で形成される半径Ｒ１（Ｒ１＝Ｒ２）の曲率を有する曲線状目印６と、接点７から照準軸Δの方向に沿って延在する直線状の目印１１、１２とを含むことを特徴とする。また、視差補正用の目印となるもう一つの別の直線状目印１８が後方拡張部１９上に設けられている構造となっている。
【０００９】
【発明が解決しようとする課題】
しかしながら、前記特許第２７８１０５７号の発明のパターヘッド１′は、そのボールの心合わせ用の曲線状目印６がボールの形状を想起させるとともに打撃点から目をそらさずに合わせられ、また、前記直線状目印１８は曲線状目印６及び直線状の目印１１、１２とは異なる高さに延在していて、プレーヤがパターヘッド１′を正しく垂直に位置させるためには直線状の目印１１、１２と前記直線状目印１８がずれずに一線整列となるように見ればよいというパターヘッドの心合わせ及びプレーヤの姿勢矯正の作用・効果があるに過ぎない。
【００１０】
この点、引っ掛け打ちや送り出し打ちの原因となる楕円軌道を描いてのスイングによる横振れが生じたか否かを直ちに判定することができるスイング矯正機能を備えたゴルフパターは未だない。
【００１１】
本発明は上記事情に鑑みてなされたものであり、単なる練習のみならず本番でも使用可能であって、パッティング時のスイングの横振れを目で認識できるようにしてスイングの矯正が直ちに行えるスイング安定性、方向維持性に優れるゴルフパターを提供するものである。
【００１２】
【課題を解決するための手段】
本発明は、上記課題を達成するために、
（１）打撃面に平行な縦寸法よりも打撃面に直角な横寸法が長いヘッドを有するとともにヘッド上面のパッティング方向に垂直下視が直線状の５０ｍｍ〜１７０ｍｍの長さの直線識別パターンが設けられていることを特徴とするゴルフパターを提供する。
（２）また、高さ寸法が２０ｍｍ〜４０ｍｍで水平寸法が４３ｍｍ〜８５ｍｍの略楕円形又は略矩形の打撃面を備え、横寸法が７０ｍｍ〜１７０ｍｍでありヘッド上面に設けられた直線識別パターンの延長線が前記打撃面の中心打撃点の垂直延長線上にあるヘッドを有することを特徴とする上記（１）に記載のゴルフパターを提供する。
（３）また、ヘッドの底面側が半径７００ｍｍ〜１３００ｍｍの曲率の湾曲面を有することを特徴とする上記（１）に記載のゴルフパターを提供する。
（４）さらに、直線識別パターンが、ヘッドの上面を中心軸を境に領域を色分けしてなる境界線又は幅０．７ｍｍ〜２０ｍｍの目印色ライン又は幅１ｍｍ〜２０ｍｍの溝若しくは突条又は文字文様列であることを特徴とする上記（１）に記載のゴルフパターを提供する。
【００１３】
【発明の実施の形態】
本発明に係るゴルフパターの実施の形態例について図面に基づいて説明する。なお、本発明のゴルフパターのシャフト部（柄部）やグリップ部は通常のゴルフパターと変わるところはなく、ヘッド部に顕著な特徴を有するので、以下、ヘッドに関して詳述する。
【００１４】
図１は本発明に係るゴルフパターのヘッド部の平面図である。図２は本発明に係るゴルフパターのヘッド部の側面図である。図３は本発明に係るゴルフパターのヘッド部の斜視図である。図４はゴルフパターのスイング方向の例を示す図である。図５は本発明に係るゴルフパターの打撃面側から見たヘッドの形状を示す図である。図６は本発明に係る他のゴルフパターのヘッド形状例と直線識別パターン例（３例）を示す平面図である。
【００１５】
本発明者の実験によれば、図７のようなパッティング方向Ｄの横寸法Ｘが打撃面３に平行な方向の縦寸法Ｙよりも短い従来の一般的なヘッド１では打撃時の安定性、方向維持性に欠けており、ゴルフパターのヘッド形状に関しては、パッティング方向Ｄの横寸法Ｘが打撃面３に平行な方向の縦寸法Ｙよりも長い形状、例えば図４の平面図に示されるヘッド２０のような金づち若しくはゲートボールのクラブ（木づち）のような横長形状の方が安定性、方向維持性が良好であることが判明した。
【００１６】
尤も、図４のヘッド形状でも前述のようにパッティングに際しては、プレーヤは無意識に楕円軌道を描いてスイングしがちであり、図４に示されるようにボールに当たる瞬間に正しく打撃面３に直角な方向Ｄ１に真っすぐスイングしているつもりでも、実際は矢印Ｄ２又はＤ３方向にずれてスイングしていることが多いのである。
【００１７】
本発明のゴルフパターは図１又は図２又は図３に示されるヘッド２０のように打撃面３に平行な縦寸法Ｙよりも打撃面３に直角な横寸法Ｘが長い横長形状であり、且つ、ヘッド上面２０ａのパッティング方向Ｄに垂直下視（真上から見下ろした平面視）が直線状の５０ｍｍ〜１７０ｍｍの長さの直線識別パターン２５が設けられている。
【００１８】
上記ヘッド２０の打撃面３の形状は、例えば図３及び図５の（ａ）のような高さ寸法が２０ｍｍ〜４０ｍｍで水平寸法（縦寸法Ｙ）が４３ｍｍ〜８５ｍｍの略楕円形又は図５の（ｂ）のような略矩形が好適である。また、ヘッドの横寸法Ｘは直線識別パターン２５の長さ確保及びゴルフパターとしての取り扱い上縦寸法Ｙとの兼ね合いから７０ｍｍ〜１７０ｍｍが好適な範囲といえる。
【００１９】
また、図１〜図３のヘッド２０の底面側は、図２に示されるように半径７００ｍｍ〜１３００ｍｍ（パッティング時のゴルフパターの回転半径の概ね等しい。）の曲率の上側に反り上がった湾曲面Ｒを有して、横寸法Ｘが７０ｍｍ〜１７０ｍｍという横長形状のヘッドのパッティング時の地面との接触の恐れを回避している。
【００２０】
次に、ヘッド上面２０ａに設けられた前記直線識別パターン２５は、図１、図３に示されるように、打撃面３と直角方向（＝正しいパッティング方向Ｄ）に設けられており、好ましくは所謂照準軸Δ上に沿ってパターンの延長線が前記打撃面３の中心打撃点Ｃの垂直延長線上にある配置に設けられている。
【００２１】
而して、プレーヤがボールに対してヘッド２０の直線識別パターン２５の先の打撃面３の中心打撃点Ｃに合わせて当て、正しいパッティング方向Ｄで真っすぐに振った場合には、プレーヤは真上から見下ろして前記直線識別パターン２５がその幅寸法と同等の一筋の直線の残像として見えるが、垂直下視でスイングが楕円軌道を描いたり斜めにスイングした場合（図４参照）には、正しいパッティング方向に対して角度が付くために上記直線識別パターン２５の両端が重ならない異なる軌跡を描いて直線識別パターン２５の残像が実際の直線識別パターン２５の幅よりも太い広がったラインとして見えるために、良くないパッティングであること及びその程度が直ぐに判り、打撃面３に直角で直線的な正しい打ち方にその場で矯正することができる。
【００２２】
上記直線識別パターン２５の具体例としては、例えば図６の（ａ）のようにヘッド上面２０ａの銀色、金色、黒鉄色等の金属色の下地に対して幅ｔ＝０．７ｍｍ〜２０ｍｍの赤や白の目印色ライン２５ａを塗布形成したものや、図６の（ｂ）のようにヘッド２０の上面２０ａをその中心軸（＝照準軸Δ）を境に領域を赤／黒や赤／白に色分けしてなる境界線２５ｂ、又は（ｃ）のように幅ｔ＝１ｍｍ〜２０ｍｍの文字文様列２５ｃ、更には図５の（ａ）のような断面がＶ、Ｕ形状の幅ｔ＝１ｍｍ〜２０ｍｍの直線状の溝２５ｄ、又は図５の（ｂ）や図２に示されるような断面が山形の幅ｔ＝１ｍｍ〜２０ｍｍの直線状の突条２５ｅ、或いはこれらの併用が考えられる。上記各直線識別パターンの幅ｔの範囲は識別性の有無の良好な範囲であり、前記直線識別パターン２５の長さＬが長い程、幅ｔが太くても十分な識別性が得られることが実験で判っている。
【００２３】
図６の（ｂ）の境界線２５ｂでは楕円軌道でスイングした場合には境界線２５ｂがはっきりと見えずに両境界の色が交じり合った混合色のラインとなって見えることになる。他の場合も直線識別パターン２５として実際の幅よりも広いラインが残像として見えることになる。
【００２４】
本発明者の実験によれば、図３において上記直線識別パターン２５はその長さＬが最低５０ｍｍ以上ないと通常のプレーヤではスイングの良否の判別作用が期待出来ず、好ましくは７０ｍｍ〜１７０ｍｍが必要十分な判別作用を得る実用上の範囲であることが判った。この点、前述の特許第２７８１０５７号の公報に記載されたパターヘッド１′には、照準軸Δの方向に沿って直線状の視差補正用の目印となる直線状目印１８が設けられている。しかし、これはボールの心合わせ用目印６の直線状目印１１、１２とは異なる高さ位置に延在する視差補正用の目印であって、視点がヘッドの真上に位置しているか否かを確認するためのものである。その長さは短く５０ｍｍ以下であって本願発明のようなパッティングのスイング矯正のための直線識別パターン２５としての作用は有していない。
【００２５】
なお、本発明の対象がゴルフパターのヘッド部である以上、取り扱い得る実質的大きさの限界があり、前述のようにヘッド２０の横寸法Ｘの長さは１７０ｍｍが上限と言え、そのため直線識別パターン２５の垂直下視の長さＬも１７０ｍｍが上限となる。そして、本発明に係るヘッドは打撃面３に平行な縦寸法Ｙよりも打撃面３に直角な横寸法Ｘが長ければその形状に特に制限はないが、例えば打撃面３を広く取った図６の（ａ）魚型ヘッド３０、（ｂ）の鐘型ヘッド４０、（ｃ）の直方体型ヘッド５０のようなものが本発明のゴルフパターに好適なヘッド形状といえる。
【００２６】
【発明の効果】
本発明に係るゴルフパターは上記のように構成されているため、
（１）パッティング時に楕円軌道を描いたり、斜めにスイングして横振れがある場合には、真上から見下ろすプレーヤには、ヘッド上面の直線識別パターンが正しいパッティング方向に対して角度が付くために実際の直線識別パターンの幅よりも太い幅のラインの残像となって見えるので、横振れが生じたか否か及びその程度がパッティングと同時に判定でき、パッティング時のスイング矯正が可能になるという優れた効果を有する。
【００２７】
（２）打撃面に平行な縦寸法よりもパッティング方向の横寸法が長い横長形状のヘッド構造なので、安定性、方向維持性が良好であるとともに、直線識別パターンを長く設定可能になり、直線識別パターンの残像幅を明瞭に認識することができる。
【００２８】
（３）ヘッドの底面側が半径７００ｍｍ〜１３００ｍｍの湾曲面を有するので、横寸法が長いヘッド形状であってもパッティング時にヘッドの底面側が地面（グリーン）と接触する恐れがない。
【図面の簡単な説明】
【図１】本発明に係るゴルフパターのヘッド部の図である。
【図２】本発明に係るゴルフパターのヘッド部の図である。
【図３】本発明に係るゴルフパターのヘッド部の図である。
【図４】本発明に係るゴルフパターのスイング方向の例を示す図である。
【図５】本発明に係るゴルフパターのヘッド部の図である。
【図６】本発明に係るゴルフパターのヘッド部の実施の形態例３例を示す平面図である。
【図７】従来の一般的なゴルフパターのヘッド部の斜視図である。
【図８】特許第２７８１０５７号の発明のパターヘッドの平面図である。
【図９】特許第２７８１０５７号の発明のパターヘッドの斜視図である。
【符号の説明】
１、１′　　ヘッド
２　　　シャフト
３　　　打撃面
４　　　ボール
２０　　　ヘッド
２０ａ　　ヘッド上面
２５　　　直線識別パターン
２５ａ　　目印色ライン
２５ｂ　　境界線
２５ｃ　　文字文様列
２５ｄ　　溝
２５ｅ　　突条
３０　　　魚型ヘッド
４０　　　鐘型ヘッド
５０　　　直方体型ヘッド
Δ　　　照準軸
Ｃ　　　中心打撃点
Ｄ　　　パッティング方向
Ｄ１　　　打撃面に直角な方向
Ｄ２、Ｄ３　　打撃面に直角でない方向
Ｒ　　　湾曲面
ｔ　　　幅寸法
Ｌ　　　直線識別パターンの垂直下視の長さ
Ｘ　　　ヘッドの横寸法
Ｙ　　　ヘッドの縦寸法
【図１】
2004024722.tif 000003
【図２】
2004024722.tif 000004
【図３】
2004024722.tif 000005
【図４】
2004024722.tif 000006
【図５】
2004024722.tif 000007
【図６】
2004024722.tif 000008
【図７】
2004024722.tif 000009
【図８】
2004024722.tif 000010
【図９】
2004024722.tif 000011